(57)【要約】【課題】衣類収納空間のハンガーパイプに多数の衣類を吊り下げて収納する時に邪魔にならないファン式防虫装置とする。【解決手段】装置本体１に薬剤保持体２、送風機３、電池４を設け、その送風機３により発生する気流を薬剤保持体２に接触又は通過して害虫防除成分を気中に放出するファン式防虫装置において、前記装置本体１にハンガーパイプ１２に吊り下げて取付ける取付部材１３を設けると共に、床面２１に設置する床面取付部を設け、その床面取付部を床面２１に設置して取付けできるようにしたファン式防虫装置。【選択図】　　　図４
2004024091.tif 000002
【特許請求の範囲】
【請求項１】
装置本体１に薬剤保持体２と送風機３と電池４を設け、その送風機３により発生する気流が薬剤保持体２に接触又は通過することで害虫防除成分を放出口５から気中に放出するファン式防虫装置において、
前記装置本体１は、衣類収納空間２０のハンガーパイプ１２に吊り下げて取付けるための取付部材１３と、衣類収納空間２０のハンガーパイプ１２以外の部分に取付けるための取付部を備え、
前記取付部材１３をハンガーパイプ１２に吊り下げて取付けた状態では放出口５がハンガーパイプ１２と直交方向に向かい、
前記取付部で衣類収納空間２０のハンガーパイプ１２以外の部分に取付けた状態では放出口５が上向き、横向き、下向きのいずれかに向かうようにしたことを特徴とするファン式防虫装置。
【請求項２】
取付部は、衣類収納空間２０の床面２１に設置する床面取付部、側面２３、開き戸内面に取付ける縦面取付部、天面２２に取付ける天面取付部の少なくともいずれか一つで、
放出口５の向きは、床面２１に設置した時には上向き、側面２３、開き戸内面に取付けた時には上向き又は横向き、天面２２に取付けた時には横向き又は下向きである請求項１記載のファン式防虫装置。
【請求項３】
取付部材１３は装置本体１の上面６及び取付部にそれぞれ着脱自在で、この取付部材１３を取付部による取付け時に取付補助部材として利用できるようにした請求項１又は２記載のファン式防虫装置。
【請求項４】
取付部材１３は装置本体１の幅よりも長い部分を有し、その取付部材１３を取付部に取付けた状態で装置本体１の幅方向両側面から突出するようにした請求項３記載のファン式防虫装置。
【発明の詳細な説明】
【０００１】
【発明の属する技術分野】
本発明は、洋服ダンスやクローゼット等の衣類収納空間の防虫に用いるファン式防虫装置、詳しくは、害虫防除成分を有する薬剤保持体と送風機と電池を備え、この送風機から発生する気流を薬剤保持体に接触又は通過させることにより害虫防除成分を放出口から気中に放出するファン式防虫装置に関する。
【０００２】
【従来の技術】
洋服ダンスやクローゼット等の衣類収納空間の防虫に用いるファン式防虫装置として、特開平１１−３０８９５５号公報に開示されたファン式防虫装置が提案されている。
具体的には、害虫防除成分を有する薬剤保持体と送風機と電池を備え、その薬剤保持体に送風機により発生する気流を接触させることで害虫防除成分を放出口から気中に放出するファン式防虫装置である。
【０００３】
【発明が解決しようとする課題】
前述したファン式防虫装置は、害虫防除成分をファンによる気流に乗せて放出口から気中に放出するので、従来から広く一般に用いられている昇華性防虫剤を用いた固形製剤及び揮散性ピレストロイド系防虫剤を用いた含有プレートなどの保持製剤等の自然揮散タイプの防虫剤と比べると、その害虫防除成分を広い範囲に拡散できるから、衣類収納空間の全域に害虫防除成分を十分に行き渡らせることが可能である。
【０００４】
前述のファン式防虫装置の衣類収納空間内への取付け方は、従来から広く一般に用いられている自然揮散タイプの防虫剤と同様に衣類収納空間内のハンガーパイプに吊り下げて取付けることが考えられる。この取付け方が使用者にとって使い易い。
しかし、前述のようにハンガーパイプに吊り下げて取付けたファン式防虫装置は、そのハンガーパイプに多数の衣類を吊り下げて収納する時に邪魔になる。
このことは、従来の自然揮散タイプの防虫剤でも同様であるが、前述のファン式防虫装置は薬剤保持体と送風機と電池を備え、自然揮散タイプの防虫剤と比べて大型であるから、より一層邪魔になる。
【０００５】
本発明者等は、前述のことに着目し、衣類収納空間内にファン式防虫装置をどのように取付けるかを種々研究、実験した結果、次のことを見出し、本発明に到った。
すなわち、従来の自然揮散タイプの防虫剤は害虫防除成分の拡散範囲が狭く、衣類の近くに置かなければ効果的に防虫できないので、前述のように邪魔になってもハンガーパイプに吊り下げて取付けている。
これに対して、ファン式防虫装置は害虫防除成分が広い範囲に拡散するので、衣類と離れた位置に置いても効果的に防虫できた。
【０００６】
本発明は、前述のことに鑑みなされたもので、その目的はハンガーパイプに吊り下げて取付けできると共に、衣類収納空間内におけるハンガーパイプ以外の部分、例えば床面、側面、開き戸内面、天面などにも取付けできるようにし、多数の衣類を収納する時にはハンガーパイプ以外の部分に取付け、少数の衣類を収納する時にはハンガーパイプに取付けできるファン式防虫装置を提供することである。
【０００７】
【課題を解決するための手段】
第１の発明は、装置本体１に薬剤保持体２と送風機３と電池４を設け、その送風機３により発生する気流が薬剤保持体２に接触又は通過することで害虫防除成分を放出口５から気中に放出するファン式防虫装置において、
前記装置本体１は、衣類収納空間２０のハンガーパイプ１２に吊り下げて取付けるための取付部材１３と、衣類収納空間２０のハンガーパイプ１２以外の部分に取付けるための取付部を備え、
前記取付部材１３をハンガーパイプ１２に吊り下げて取付けた状態では放出口５がハンガーパイプ１２と直交方向に向かい、
前記取付部で衣類収納空間２０のハンガーパイプ１２以外の部分に取付けた状態では放出口５が上向き、横向き、下向きのいずれかに向かうようにしたことを特徴とするファン式防虫装置である。
【０００８】
第２の発明は、第１の発明において取付部は、衣類収納空間２０の床面２１に設置する床面取付部、側面２３、開き戸内面に取付ける縦面取付部、天面２２に取付ける天面取付部の少なくともいずれか一つで、
放出口５の向きは、床面２１に設置した時には上向き、側面２３、開き戸内面に取付けた時には上向き又は横向き、天面２２に取付けた時には横向き又は下向きであるファン式防虫装置である。
【０００９】
第３の発明は、第１又は第２の発明において取付部材１３は装置本体１の上面６及び取付部にそれぞれ着脱自在で、この取付部材１３を取付部による取付け時に取付補助部材として利用できるようにしたファン式防虫装置である。
【００１０】
第４の発明は、第３の発明において取付部材１３は装置本体１の幅よりも長い部分を有し、その取付部材１３を取付部に取付けた状態で装置本体１の幅方向両側面から突出するようにしたファン式防虫装置である。
【００１１】
【作　用】
第１の発明によれば、ファン式防虫装置を衣類収納空間２０のハンガーパイプ１２に吊り下げて取付けできると共に、衣類収納空間２０のハンガーパイプ１２以外の部分に取付けできる。
よって、衣類収納空間２０のハンガーパイプ１２に多数の衣類を吊り下げて収納する場合には、ファン式防虫装置をハンガーパイプ１２以外の部分に取付けて衣類の収納に邪魔にならないようにでき、少数の衣類を収納する場合にはファン式防虫装置をハンガーパイプ１２に吊り下げて取付けできる。
【００１２】
しかも、ハンガーパイプ１２に吊り下げて取付けた場合には放出口５がハンガーパイプ１２と直交方向に向うので、その放出口５から放出される害虫防除成分が衣類に多量に付着して汚染する恐れがない。
また、ハンガーパイプ１２以外の部分に取付けた場合には放出口５は上向き、下向き、横向きのいずれかであるから、衣類収納空間２０内に害虫防除成分がスムーズに拡散する。
【００１３】
第２の発明によれば、ファン式防虫装置を衣類収納空間２０の床面２１、天面２２、側面２３、開き戸内面のいずれかに取付けできる。
また、前述のいずれかに取付けた場合でも放出口５から害虫防除成分が衣類収納空間２０内に向けて放出されるので、害虫防除成分が衣類収納空間２０内にスムーズに拡散する。
【００１４】
第３の発明によれば、取付部材１３を装置本体１の上面から外し取付部に取付けて取付補助部材として利用できるから、ファン式防虫装置を取付部材１３を有効利用して取付けできる。
【００１５】
第４の発明によれば、取付部材１３を取付部に取付けると、その取付部材１３が装置本体１の幅方向両側面から突出するので、その取付部材１３をビス止め等する作業がやり易いし、床面２１に設置する場合には安定して設置できる。
【００１６】
【発明の実施の形態】
本発明の第１の実施の形態を図１、図２、図３に基づいて説明する。
装置本体１は、害虫防除成分を有する薬剤保持体２と送風機３と電池４を備え、この送風機３から発生する気流を薬剤保持体２に接触又は通過させることで薬剤保持体３が有する害虫防除成分を放出口５から気中に放出する。
前記装置本体１は上面６と下面７と一側縦面８と他側縦面９と前面１０と後面１１を有する。この実施の形態では装置本体１はほぼ矩形箱形状で、一側縦面８と他側縦面９との間の寸法（幅）が上面６と下面７との間の寸法（高さ）よりも小さい。
前記放出口５は装置本体１の前面１０に形成され、前記薬剤保持体２は装置本体１の一側縦面８側に取付けてある。これによって、送風機３を駆動することで一側縦面８側から前面１０に向けて気流が発生する。
【００１７】
前記装置本体１は衣類収納空間内のハンガーパイプ１２に吊り下げて取付けるための取付部材１３を備え、この取付け材１３をハンガーパイプ１２に吊り下げて取付けると、放出口５がハンガーパイプ１２と直交方向に向う、この実施の形態では直交方向で、かつ横向きとなるようにしてある。
具体的には、装置本体１の幅方向がハンガーパイプ１２の長手方向に向かい前面１０がハンガーパイプ１２の長手方向とほぼ平行となる。
【００１８】
前記装置本体１は、その後面１１を設置面に置くことで前面１０が上向きとして安定した状態で保持できる形態である。
つまり、後面１１が床面に設置するため床面取付部を形成する。
このようであるから、図４に実線に示すように衣類収納空間２０の床面２１に、放出口５を上向きとして設置（取付け）できる。図４において符号２２は衣類収納空間２０の天井である。
【００１９】
この実施の形態では、取付部材１３の先端部は後面１１側に突出し、その取付部材１３の先端面１３ａと後面１１がほぼ面一、好ましくは面一であり、その取付部材１３の先端面１３ａと後面１１で床面取付部を形成している。
よって、床面取付部の面積が広く、一層安定した状態で設置できる。
また、電池４が下で送風機３が上となるので、重心位置が低く、より一層安定した状態で設置できる。
【００２０】
このようであるから、ハンガーパイプ１２に多数の衣類を吊り下げて収納する時には、床面２１に設置して取付けできる。
しかも、放出口５が上向きであるから、害虫防除成分が上方に向けて放出し、衣類収納空間２０内にスムーズに拡散して全域に短時間で行き渡ることが可能である。
【００２１】
前記装置本体１の他側縦面９と前面１０はほぼ９０度で、その他側縦面９は平坦面で、縦面取付部を形成している。
このようであるから、図４に一点鎖線で示すように衣類収納空間２０の側面２３に他側縦面９を、前面１０が上向きとして取付けることで、ファン式防虫装置を放出口５が上向きとして取付けできる。
例えば、図３に示すように他側縦面９の全面又は一部の面に両面粘着テープなどの表面剥離紙１４を有する接着層１５をあらかじめ設けておき、その表面剥離紙１４を剥離し、接着層１５で貼着して取付ける。
また、図１に二点鎖線で示すように装置本体１に取付用孔１６を一側面８から他側面９に貫通して形成しておき、この取付用孔１６からビスを側面２３に螺合して取付ける。
また、図示は省略するが他側縦面９に係止穴を形成し、ビスや吊り下げフックなどの取付具を側面２３に取付け、この取付具に係止穴を係止して取付ける。
なお、側面２３に取付ける高さ位置は図４では下方としてあるが、上下中間でも良いし、上方でも良く、状況に応じて任意に設定する。
【００２２】
この実施の形態では、図２に示すように取付部材１３の他側面１３ｂと装置本体１の他側縦面９が連続した一直線状面、つまり平坦面を形成しているので、取付面積が広く、しっかりと側面２３に取付けできる。
例えば、前述の接着層１５を取付部材１３の他側面１３ｂにも取付ける。
図１に二点鎖線で示すように取付部材１３に、他側面１３ｂと一側面１３ｃに貫通した取付用孔１６を形成し、ビスを挿通して側面２３に螺合する。
【００２３】
前記装置本体１の縦面取付部（他側縦面９）を前述と同様にして衣類収納空間の開き戸の内面に取付けることもできる。
【００２４】
前記装置本体１の縦面取付部（他側縦面９）を図４に三点鎖線で示すように衣類収納空間２０の天面２２に前述と同様に取付けることができる。
これによって、放出口５は横向きとなる。図４に示す実施の形態では開き戸（図示せず）に向いているが、側面２３に向けて取付けることも可能である。
つまり、この実施の形態では装置本体１の他側縦面９が縦面取付部と天面取付部を兼用している。
【００２５】
次に、各部の具体形状の一例を説明するが、この形状に限ることはない。
装置本体１は本体部３０とカバー部３１を着脱自在に連結したもので、その本体部３０は送風機収納室３０ａと電池収納室３０ｂを有すると共に、前記送風機収納室３０ａに開口した第１通気口３２と前述の放出口５を有する。
前記カバー部３１は第１通気口３２と対向した第２通気口３３を有し、このカバー部３１と本体部３０との間に薬剤保持体２が設けてある。
【００２６】
前記薬剤保持体２は通気性を有する容器３４、例えば対向面に通気孔３４ａを有する容器３４内に害虫防除成分を含有する担持体（粉剤、粒剤など）３５を充填したもので、その容器３４の外向フランジ３４ｂをカバー部３１における第２通気口３３の開口縁内側面に接して取付けられる。
前記送風機３は電動モータ３ａとファン３ｂを備え、電動モータ３ａでファン３ｂを回転するもので、この電動モータ３ａは電池収納室３０ｂに設けた電池４を電源として駆動されると共に、ファン３ｂはシロッコファンである。
そして、ファン３ｂの回転によって害虫防除成分を外周に放出する形態である。
具体的には、ファン３ｂの回転によってカバー部３１の第２通気口３３（つまり、前述の一側縦面８側）から空気を吸い込み、その空気が容器３４内の担持体３５を通過して第１通気口３２、送風機収納室３０ａを経て放出口５から吐出する。
【００２７】
次に、本発明の第２の実施の形態を図５、図６に基づいて説明する。
装置本体１の上面６に放出口５を形成し、下面７を床面取付部としたことが第１の実施の形態と異なり、薬剤保持体２、送風機３、縦面取付部兼天面取付部などの構成及び取付けの仕方は第１の実施の形態と同様である。なお、電池４は下面７寄りに収納して床面に設置した際に重心位置が低くなるようにしてあると共に、装置本体１の下部を幅広としてある。
【００２８】
このようにすることで、放出口５を上向きとしてハンガーパイプ１２に吊り下げて取付けたり、放出口５を上向きとして床面に設置したり、放出口５を上向きとして側面、開き戸内面に取付けたり、放出口５を横向きとして天面に取付けできる。
【００２９】
前述の第１・第２の実施の形態において天面２２に取付けた時に放出口５が下向きとなるようにしても良い。
例えば、第１の実施の形態においては後面１１を天面取付部とし、第２の実施の形態では下面７を天面取付部とする。
また、側面２３に取付けた時に放出口５が横向きとなるようにしても良い。例えば、第１の実施の形態では後面１１を縦面取付部とし、第２の実施の形態では下面７を縦面取付部とする。
【００３０】
次に、本発明の第３の実施の形態を説明する。
この実施の形態は取付部材１３を装置本体１に着脱自在とし、その取付部材１３をハンガーパイプ１２に吊り下げて取付けるのみではなく、床面取付部、縦面取付部、天面取付部に取付けて取付補助部材として利用できるようにしてある。薬剤保持体２、送風機３などは第１・第２の実施の形態と同様である。
【００３１】
具体的には装置本体１に取付部材１３を上向きとして着脱自在とする。例えば、装置本体１の上面６に取付用あり溝４０を形成し、取付部材１３の基部に取付用あり溝４０に係脱自在な取付片４１を設け、この取付片４１を取付用あり溝４０に挿入・抜き出し自在とする。
前記装置本体１の床面取付部と縦面取付部、この実施の形態では放出口５が前面５に形成してあるので後面１１と他側縦面９に取付部材１３を着脱自在とする。例えば、取付用凹部４２を形成し、この取付用凹部４２に取付部材１３を嵌め込み、抜き出し自在とする。
【００３２】
前記取付部材１３は先端部にハンガーパイプ１２に係止するフック部４３を有する。この取付部材１３は装置本体１の幅寸法Ｈよりも長い部分を有する。例えば、基端部（取付片４１）と先端部（フック部４３）との間の長さＬが装置本体１の幅Ｈよりも大きい。
また、取付部材１３は平坦面に安定して置くことができる形態である。例えば、長尺な本体４４の基端寄りに支持片４５を設けると共に、本体４４の先端部にフック部４３を設けた平面形状ほぼコ字形状である。
【００３３】
前記取付用凹部４２の開口寸法は取付部材１３の本体４４の幅Ｈ１と同一で、深さは厚さＴよりも僅かに小さく、その取付用凹部４２の開口縁には係止用の突部４２ａが設けてある。
取付部材１３の本体４４を取付用凹部４２に厚さ方向に押し込むことで突部４２ａに溝４４ａが係合して外れないように取付けられる。
取付けた状態の本体４４を厚さ方向に強い力で引っ張ることで溝４４ａが突部４２ａから外れ、本体４４を取付用凹部４２から抜き出すことができる。
【００３４】
次に衣類収納空間内への取付けについて説明する。
図８に示すように、取付部材１３を装置本体１の上面６に上向きに取付け、その取付部材１３のフック部４３をハンガーパイプ１２に係止して吊り下げる。
これにより、ハンガーパイプ１２に吊り下げて取付けできると共に、放出口５はハンガーパイプ１２と直交する方向に向う。
【００３５】
装置本体１から取付部材１３を取り外し、その本体４４を後面１１の取付用凹部４２に嵌め込んで取付け、その取付部材１３を図９に示すように衣類収納空間２０の床面２１に置いてファン式防虫装置を床面２１に設置する。放出口５は上向きである。
前記取付部材１３の長さＬが装置本体１の幅Ｈよりも長いから、その取付部１３が装置本体１の一側縦面８、他側縦面９（つまり幅方向両側面）より突出し、装置本体１が倒れないように安定して支持できる。
つまり、装置本体１をハンガーパイプ１２に吊り下げて取付けた時に、その幅Ｈが小さい方が衣類収納の邪魔にならない。しかし、幅Ｈが小さいと床面２１に安定して設置できない。
取付部材１３の長さＬを幅Ｈよりも長くすることで前述のことが解消できる。
なお、前述の状態で取付部材１３を天面２２に取付ければ、ファン式防虫装置を放出口５が下向きとなるように取付けできる。
【００３６】
取付部材１３を装置本体１の他側縦面９の取付用凹部４２に取付け、その取付部材１３を図１０に示すように衣類収納空間２０の側面２３にビスなどで取付けることで、放出口５を上向きとして取付けできる。
例えば、図７に示すように取付部材１３の厚さ方向の一面に剥離紙１４を有する接着層１５を設けたり、図７に二点鎖線で示すように取付用孔１６を形成し、その取付用孔１６からビスを側面２３に螺合して取付ける。
【００３７】
前述の状態で取付部材１３を図１１に示すように衣類収納空間２０の天面２２に取付ければ、放出口５が横向きとして取付けできる。
【００３８】
また、図７において放出口５が上面６に形成してある場合には下面７に取付用凹部４２を形成することで、床面２１に放出口５が上向きとして設置できる。
【００３９】
以上の各実施の形態では、装置本体１に床面取付部、縦面取付部、天面取付部を形成し、衣類収納空間２０の床面２１、天面２２、側面２３、開き戸内面に取付けできるようにしたが、床面取付部、縦面取付部、天面取付部の少なくとも一つを形成して床面２１、天面２２、側面２３の少なくとも一ヶ所に取付けできるようにしても良い。
すなわち、装置本体１にハンガーパイプ１２に吊り下げて取付けるための取付部材１３と、衣類収納空間２０のハンガーパイプ１２以外の部分に取付けるための取付部を設ければ良い。
【００４０】
【発明の効果】
請求項１に係る発明によれば、ファン式防虫装置を衣類収納空間２０のハンガーパイプ１２に吊り下げて取付けできると共に、衣類収納空間２０のハンガーパイプ１２以外の部分に取付けできる。
よって、衣類収納空間２０のハンガーパイプ１２に多数の衣類を吊り下げて収納する場合には、ファン式防虫装置をハンガーパイプ１２以外の部分に取付けて衣類の収納に邪魔にならないようにでき、少数の衣類を収納する場合にはファン式防虫装置をハンガーパイプ１２に吊り下げて取付けできる。
【００４１】
しかも、ハンガーパイプ１２に吊り下げて取付けた場合には放出口５がハンガーパイプ１２と直交方向に向うので、その放出口５から放出される害虫防除成分が衣類に多量に付着して汚染する恐れがない。
また、ハンガーパイプ１２以外の部分に取付けた場合には放出口５は上向き、下向き、横向きのいずれかであるから、衣類収納空間２０内に害虫防除成分がスムーズに拡散する。
【００４２】
請求項２に係る発明によれば、ファン式防虫装置を衣類収納空間２０の床面２１、天面２２、側面２３、開き戸内面のいずれかに取付けできる。
また、前述のいずれかに取付けた場合でも放出口５から害虫防除成分が衣類収納空間２０内に向けて放出されるので、害虫防除成分が衣類収納空間２０内にスムーズに拡散する。
【００４３】
請求項３に係る発明によれば、取付部材１３を装置本体１の上面から外し取付部に取付けて取付補助部材として利用できるから、ファン式防虫装置を取付部材１３を有効利用して取付けできる。
【００４４】
請求項４に係る発明によれば、取付部材１３を取付部に取付けると、その取付部材１３が装置本体１の幅方向両側面から突出するので、その取付部材１３をビス止め等する作業がやり易いし、床面２１に設置する場合には安定して設置できる。
【図面の簡単な説明】
【図１】本発明の第１の実施の形態を示す全体側面図である。
【図２】本発明の第１の実施の形態を示す全体正面図である。
【図３】図１のＡ−Ａ断面図である。
【図４】衣類収納空間内への取付け状態の説明図である。
【図５】本発明の第２の実施の形態を示す全体側面図である。
【図６】本発明の第２の実施の形態を示す全体正面図である。
【図７】本発明の第３の実施の形態を示す取付部材を外した状態の斜視図である。
【図８】ハンガーパイプ取付け状態の説明図である。
【図９】床面取付け状態の説明図である。
【図１０】側面取付け状態の説明図である。
【図１１】天面取付け状態の説明図である。
【符号の説明】
１…装置本体、２…薬剤保持体、３…送風機、４…電池、５…放出口、６…上面、７…下面、８…一側縦面、９…他側縦面、１０…前面、１１…後面、１２…ハンガーパイプ、１３…取付部材、２０…衣類収納空間、２１…床面、２２…天面、２３…側面。
【図１】
2004024091.tif 000003
【図２】
2004024091.tif 000004
【図３】
2004024091.tif 000005
【図４】
2004024091.tif 000006
【図５】
2004024091.tif 000007
【図６】
2004024091.tif 000008
【図７】
2004024091.tif 000009
【図８】
2004024091.tif 000010
【図９】
2004024091.tif 000011
【図１０】
2004024091.tif 000012
【図１１】
2004024091.tif 000013